(57)【要約】【課題】  ビーディングによる色むらと搬送等のずれに由来する非吐出領域の形成の双方を効果的に抑制する。【解決手段】  複数のマスクパターンのそれぞれにおける単位内の記録許容画素の数を相対的に少なくし、且つ、複数の論理和パターンのそれぞれにおける単位内の記録許容画素の数を相対的に多くする。【選択図】  図１５
2015112760.tif 000002
【特許請求の範囲】
【請求項１】
所定の色のインクを吐出するための複数の吐出口が配列方向に配列された吐出口列を少なくとも１つ有する記録ヘッドと、
前記記録ヘッドと記録媒体上の単位領域とを前記配列方向と交差する走査方向に複数回走査させる走査手段と、
前記記録ヘッドの前記複数回の走査のそれぞれの間において、前記記録媒体を前記走査方向と交差する搬送方向に前記複数の吐出口を分割して構成されるそれぞれ前記配列方向に連続して配列された所定数の吐出口からなる複数の前記吐出口群それぞれの前記配列方向における長さに対応する距離の搬送を行う搬送手段と、
前記複数の吐出口群のそれぞれに対応し、それぞれ前記単位領域への記録の許容を定める記録許容画素と記録の非許容を定める非記録許容画素が配置された複数のマスクパターンに基づいて、前記単位領域に対応する画像データから前記単位領域に対する前記複数回の走査のそれぞれにおいて前記複数の吐出口群のそれぞれから前記単位領域に対してインクを吐出するための記録データを生成する生成手段と、
前記記録データに基づいて、前記複数回の走査のそれぞれにおいて前記複数の吐出口群のそれぞれから前記単位領域にインクを吐出させる記録制御手段と、を有する画像記録装置であって、
前記複数のマスクパターンのうちの少なくとも２つの前記マスクパターンからなる第１のマスクパターン群に関し、
（ｉ）前記第１のマスクパターン群のそれぞれのマスクパターンは、それぞれ複数の前記記録許容画素と複数の前記非記録許容画素が配置された複数の第１の画素領域と、前記複数の第１の画素領域の間にそれぞれ複数の前記非記録許容画素のみが配置された複数の第２の画素領域と、を含み、
（ｉｉ）前記第１のマスクパターン群のそれぞれのマスクパターンにおける前記複数の第１の画素領域は、それぞれ互いに対応する位置に構成され、
（ｉｉｉ）前記第１のマスクパターン群のそれぞれのマスクパターンにおける、前記配列方向または前記走査方向に互いに隣接して配置された複数の前記記録許容画素により構成される記録許容画素群および他の記録許容画素と隣接しない記録許容画素のそれぞれを１つの単位とした記録許容画素の単位内の前記記録許容画素の数の平均は、所定の値以下であり、
（ｉｖ）前記第１のマスクパターン群のそれぞれのマスクパターンに配置された複数の前記記録許容画素の論理和により得られる第１の論理和パターンにおける前記単位内の前記記録許容画素の数の平均は、前記所定の値よりも大きいことを特徴とする画像記録装置。
【請求項２】
前記所定の値は、８未満の値であることを特徴とする請求項１に記載の画像記録装置。
【請求項３】
前記第１のマスクパターン群のそれぞれのマスクパターンにおける前記単位内の前記記録許容画素の数の平均は、０であることを特徴とする請求項２に記載の画像記録装置。
【請求項４】
前記第１の論理和パターンにおける前記単位内の前記記録許容画素の数の平均は、１６以上であることを特徴とする請求項１から３のいずれか１項に記載の画像記録装置。
【請求項５】
前記第１のマスクパターン群に分類されるそれぞれのマスクパターン内の、他の前記記録許容画素と前記配列方向および前記走査方向のそれぞれと斜めに交差する斜め方向に隣接する前記記録許容画素の数の平均は、前記第１のマスクパターン群のそれぞれのマスクパターンにおける前記単位内の前記記録許容画素の数の平均よりも大きく前記第１の論理和パターンにおける前記単位内の前記記録許容画素の数の平均よりも小さい値であることを特徴とする請求項１から４のいずれか１項に記載の画像記録装置。
【請求項６】
前記複数の第１の画素領域のそれぞれは、前記記録許容画素と前記非記録許容画素が合計で少なくとも１６個配置されており、
前記複数の第２の画素領域のそれぞれは、前記非記録許容画素が少なくとも１６個配置されていることを特徴とする請求項１から５のいずれか１項に記載の画像記録装置。
【請求項７】
前記第１のマスクパターン群のそれぞれのマスクパターンは、複数の前記第１の画素領域と複数の前記第２の画素領域のみによって構成されることを特徴とする請求項１から６のいずれか１項に記載の画像記録装置。
【請求項８】
前記第１の論理和パターンにおける複数の前記単位の間に配置された前記非記録許容画素の数は、４以上であることを特徴とする請求項１から７のいずれか１項に記載の画像記録装置。
【請求項９】
前記複数のマスクパターンのうちの、前記第１のマスクパターン群のマスクパターンと異なる少なくとも２つのマスクパターンからなる第２のマスクパターン群に関し、
（ｉ）前記第２のマスクパターン群のそれぞれのマスクパターンは、それぞれ複数の前記記録許容画素と複数の前記非記録許容画素が配置された複数の第１の画素領域と、それぞれ複数の前記非記録許容画素のみが配置された複数の第２の画素領域と、から構成され、
（ｉｉ）前記第２のマスクパターン群のそれぞれのマスクパターンにおける前記複数の第１の画素領域は、それぞれ互いに対応する位置に構成され、
（ｉｉｉ）前記第２のマスクパターン群のそれぞれのマスクパターンにおける前記単位内の前記記録許容画素の数の平均は、前記所定の値以下であり、
（ｉｖ）前記第２のマスクパターン群のそれぞれのマスクパターンに配置された複数の前記記録許容画素の論理和により得られる第２の論理和パターンにおける前記単位内の前記記録許容画素の数の平均は、前記所定の値よりも大きく、
（ｖ）前記第２の論理和パターンにおける前記記録許容画素と、前記第１の論理和パターンにおける前記記録許容画素とは、互いに排他的な位置に配置されることを特徴とする請求項１から８のいずれか１項に記載の画像記録装置。
【請求項１０】
前記第１のマスクパターン群は、第１、第２の前記マスクパターンを含み、
前記生成手段は、前記複数回の走査のうちの第１の走査にて前記単位領域に対してインクを吐出するための記録データを生成する際に前記第１のマスクパターンを用い、且つ、前記複数回の走査のうちの前記第１の走査よりも２回以上の所定の回数だけ後の第２の走査にて前記単位領域に対してインクを吐出するための記録データを生成する際に前記第２のマスクパターンを用いることを特徴とする請求項１から９のいずれか１項に記載の画像記録装置。
【請求項１１】
前記所定の回数は、前記複数回（Ｎ回）の走査と、前記複数（Ｍ個）のマスクパターン群と、に対し、Ｎ／Ｍに相当する回数であることを特徴とする請求項１０に記載の画像記録装置。
【請求項１２】
前記単位領域に対する１回目の走査から前記Ｍに相当する回の走査までのＭ回の走査においてそれぞれ適用されるＭ個のマスクパターンのそれぞれに配置された複数の論理和により得られる第３の論理和パターンは、前記第２の画素領域を含まないことを特徴とする請求項１１に記載の画像記録装置。
【請求項１３】
前記記録ヘッドは、第１の色のインクを吐出するための複数の吐出口が配列方向に配列された吐出口列を少なくとも１つ有する第１の記録ヘッドと、前記第１の色と異なる第２の色のインクを吐出するための複数の吐出口が配列方向に配列された吐出口列を少なくとも１つ有する第２の記録ヘッドと、から少なくとも構成され、
（ｉ）前記第１の記録ヘッドに対応する前記第１のマスクパターン群のそれぞれのマスクパターンにおける前記記録許容画素と、前記第２の記録ヘッドに対応する前記第１のマスクパターン群のそれぞれのマスクパターンにおける前記記録許容画素と、は互いに排他的な位置に配置され、
（ｉｉ）前記第１の記録ヘッドに対応する前記第１のマスクパターン群のそれぞれのマスクパターンにおける前記第１の画素領域と、前記第２の記録ヘッドに対応する前記第１のマスクパターン群のそれぞれのマスクパターンにおける前記第１の画素領域と、は互いに同じ位置に構成されることを特徴とする請求項１から１２のいずれか１項に記載の画像記録装置。
【請求項１４】
前記記録ヘッドは、複数の前記吐出口列が前記配列方向に配列されており、
前記第１のマスクパターン群のそれぞれのマスクパターンは、それぞれ互いに異なる吐出口列内の吐出口群に対応することを特徴とする請求項１から１３のいずれか１項に記載の画像記録装置。
【請求項１５】
前記第１のマスクパターン群のそれぞれのマスクパターンは、ブルーノイズ特性を有することを特徴とする請求項１から１４のいずれか１項に記載の画像記録装置。
【請求項１６】
前記複数のマスクパターンは、それぞれほぼ同じ数の記録許容画素が配置されていることを特徴とする請求項１から１５のいずれか１項に記載の画像記録装置。
【請求項１７】
前記複数のマスクパターンにおける前記記録許容画素は、それぞれ互い排他的且つ補完的な位置に配置されていることを特徴とする請求項１から１６のいずれか１項に記載の画像記録装置。
【請求項１８】
前記第１のマスクパターン群を構成する前記第２の画素領域の数は、前記第１のマスクパターン群を構成する前記第１の画素領域の数よりも多いことを特徴とする請求項１から１７のいずれか１項に記載の画像記録装置。
【請求項１９】
所定の色のインクを吐出するための複数の吐出口が配列方向に配列された吐出口列を少なくとも１つ有する記録ヘッドと、
前記記録ヘッドと記録媒体上の単位領域とを前記配列方向と交差する走査方向に複数回走査させる走査手段と、
前記記録ヘッドの前記複数回の走査のそれぞれの間において、前記記録媒体を前記走査方向と交差する搬送方向に前記複数の吐出口を分割して構成されるそれぞれ前記配列方向に連続して配列された所定数の吐出口からなる複数の前記吐出口群それぞれの前記配列方向における長さに対応する距離の搬送を行う搬送手段と、
前記複数の吐出口群のそれぞれに対応し、それぞれ前記単位領域への記録の許容を定める記録許容画素と記録の非許容を定める非記録許容画素が配置された複数のマスクパターンに基づいて、前記単位領域に対応する画像データから前記単位領域に対する前記複数回の走査のそれぞれにおいて前記複数の吐出口群のそれぞれから前記単位領域に対してインクを吐出するための記録データを生成する生成手段と、
前記記録データに基づいて、前記複数回の走査のそれぞれにおいて前記複数の吐出口群のそれぞれから前記単位領域にインクを吐出させる記録制御手段と、を有する画像記録装置であって、
前記複数のマスクパターンのうちの少なくとも２つの前記マスクパターンからなる第１のマスクパターン群に関し、
（ｉ）前記第１のマスクパターン群のそれぞれのマスクパターンは、それぞれ複数の前記記録許容画素と複数の前記非記録許容画素が配置された複数の第１の画素領域と、前記複数の第１の画素領域の間にそれぞれ複数の前記非記録許容画素のみが配置された複数の第２の画素領域と、を含み、
（ｉｉ）前記第１のマスクパターン群のそれぞれのマスクパターンにおける前記複数の第１の画素領域は、それぞれ互いに対応する位置に構成され、
（ｉｉｉ）前記第１のマスクパターン群のそれぞれのマスクパターンに配置された複数の前記記録許容画素に配置された複数の前記記録許容画素の論理和により得られる第１の論理和パターンにおける前記記録許容画素の分散性は、前記第１のマスクパターン群のそれぞれのマスクパターンにおける前記記録許容画素の分散性よりも低く、
（ｉｖ）前記第１の論理和パターンにおける前記第１の画素領域に相当する領域は、ほぼすべての位置に前記記録許容画素が配置されることを特徴とする画像記録装置。
【請求項２０】
所定の色のインクを吐出するための複数の吐出口が配列方向に配列された吐出口列を少なくとも１つ有する記録ヘッドと、記録媒体上の単位領域と、を前記配列方向と交差する走査方向に複数回走査させ、前記記録ヘッドの前記複数回の走査のそれぞれの間において、前記記録媒体を前記走査方向と交差する搬送方向に前記複数の吐出口を分割して構成されるそれぞれ前記配列方向に連続して配列された所定数の吐出口からなる複数の前記吐出口群それぞれの前記配列方向における長さに対応する距離の搬送を行い、前記複数の吐出口群のそれぞれに対応し、それぞれ前記単位領域への記録の許容を定める記録許容画素と記録の非許容を定める非記録許容画素が配置された複数のマスクパターンに基づいて、前記単位領域に対応する画像データから前記単位領域に対する前記複数回の走査のそれぞれにおいて前記複数の吐出口群のそれぞれから前記単位領域に対してインクを吐出するための記録データを生成し、前記記録データに基づいて、前記複数回の走査のそれぞれにおいて前記複数の吐出口群のそれぞれから前記単位領域にインクを吐出させて記録を行う画像記録方法であって、
前記複数のマスクパターンのうちの少なくとも２つの前記マスクパターンからなる第１のマスクパターン群に関し、
（ｉ）前記第１のマスクパターン群のそれぞれのマスクパターンは、それぞれ複数の前記記録許容画素と複数の前記非記録許容画素が配置された複数の第１の画素領域と、前記複数の第１の画素領域の間にそれぞれ複数の前記非記録許容画素のみが配置された複数の第２の画素領域と、を含み、
（ｉｉ）前記第１のマスクパターン群のそれぞれのマスクパターンにおける前記複数の第１の画素領域は、それぞれ互いに対応する位置に構成され、
（ｉｉｉ）前記第１のマスクパターン群のそれぞれのマスクパターンにおける、前記配列方向または前記走査方向に互いに隣接して配置された複数の前記記録許容画素により構成される記録許容画素群および他の記録許容画素と隣接しない記録許容画素のそれぞれを１つの単位とした記録許容画素の単位内の前記記録許容画素の数の平均は、所定の値以下であり、
（ｉｖ）前記第１のマスクパターン群のそれぞれのマスクパターンに配置された複数の前記記録許容画素の論理和により得られる第１の論理和パターンにおける前記単位内の前記記録許容画素の数の平均は、前記所定の値よりも大きいことを特徴とする画像記録方法。
【請求項２１】
請求項２０に記載の画像記録方法を実行するために、画像記録装置のコンピュータを機能させることを特徴とするプログラム。
【発明の詳細な説明】
【技術分野】
【０００１】
本発明は画像記録装置、画像記録方法およびプログラムに関する。
【背景技術】
【０００２】
インクを吐出する複数の吐出口を配列した記録ヘッドを、記録媒体の単位領域に対して相対的に移動させながらインクの吐出を行う記録走査と、記録媒体の搬送を行う副走査と、を繰り返し行うことで画像の記録を行う記録装置が知られている。このような記録装置において、それぞれの走査にてインクを吐出する位置に対応する記録画素が複数配置されたパターンにしたがってインクを吐出し、単位領域に対して複数回走査することによって画像を形成する、いわゆるマルチパス記録方式が知られている。
【０００３】
上記の方式によって記録する記録装置では、従来より様々な条件に応じてマスクパターンを適用することが知られている。特許文献１には、濃度むらが生じ易いモノクロモードで記録を行う際に用いるパターンにおける互いに隣接する記録画素の数を、粒状性の低下が目立ち易いカラーモードで記録を行う際に用いるパターンにおける互いに隣接する記録画素の数よりも大きくすることが開示されている。
【０００４】
一方、近年では様々な用途の印刷物をインジェット記録により作成するようになってきており、それに応じて様々な種類のインクや記録媒体が使用されている。特許文献２には樹脂エマルジョンを含有するインクと難吸水性の記録媒体とを用い、インクを記録媒体上に着弾させた際にインクに熱を加えることで樹脂エマルジョンを皮膜化し、記録媒体上へのインクに含まれる色材の定着を行う方法が開示されている。
【先行技術文献】
【特許文献】
【０００５】
【特許文献１】特開２００８−２２９８６４号公報
【特許文献２】特開平１−１１３２４９号公報
【発明の概要】
【発明が解決しようとする課題】
【０００６】
しかしながら、特許文献２に開示されたインクと記録媒体を使用して記録する場合、インク滴同士が接触して互いに引き寄せ合う所謂ビーディングが発生し、記録された画像において色むらが生じる虞があることがわかった。
【０００７】
以下にこの課題について詳細に説明する。
【０００８】
図１は樹脂エマルジョンを含有するインクと難吸水性の記録媒体とを用い、マルチパス記録方法によって画像を記録する際の過程を説明するための図である。なお、ここでは８回の記録走査によって画像を完成させる形態を例として説明する。
【０００９】
図１（ａ）は記録媒体上の単位領域に対する１回目の走査にてインクを吐出した際の画像表面の模式図である。なお、黒く塗りつぶされた格子がインクを吐出する位置である記録画素を示し、黒く示す円がそれらの記録画素に実際にインクを吐出した際のインク滴の状態を示している。図１（ａ）に示すように、ここではインク滴同士をできる限り接触させないように記録画素を分散して配置したパターンによって記録した場合を示している。
【００１０】
上述のインクと記録媒体を使用するため、インクは記録媒体に浸透しない。そのため、インクは定着するまでの間に記録媒体上にて濡れ広がる。これにより、図１（ａ）に示すように、記録画素をできる限り分散して配置したパターンを用いる場合であっても、インク滴は記録媒体上にて接触してしまい、接触したインク滴同士において上述のビーディングが発生する虞がある。このビーディングは、加熱むら等により単位領域内に低温となる領域が形成された場合、インクが定着するまでに掛かる時間が長くなってしまうため、より顕著に発生する。
【００１１】
これに対し、図１（ｂ）は複数の記録画素が隣接するように配置されたパターンによって記録媒体の単位領域に対する１回目の走査でインクを吐出した際の画像表面の模式図である。なお、図１（ｂ）に示すパターンには図１（ａ）に示すパターンにおける記録画素と同じ数の記録画素が配置されている。
【００１２】
図１（ｂ）に示すパターンを用いてインクを吐出した場合、互いに隣接する４つの記録画素に対応する４つのインク滴は単位領域内で近接する位置に吐出されるため、互いに集合し、１つの大きなインク滴（大インク滴）を形成する。このように大インク滴により記録を行う場合、複数の大インク滴間における距離を図１（ａ）に示す場合よりも長くすることができる。更に、互いに接触する４つのインク滴は大インクを形成する際に互いに集合する方向に移動しながら大インク滴を形成する。そのため、この大インク滴が定着して形成されるドットは、図１（ｂ）に示すインクの着弾直後における状態よりも径を抑えることができる。
【００１３】
これらの理由から、複数の記録画素が互いに隣接するように配置したパターンを使用して記録した場合、インク滴の吐出数は同じであるにも関わらず、複数の大インク滴が互いに接触しないようにインクを吐出することができる。このため、複数の大インク滴の間のビーディングを抑制することができ、遠くに着弾したインク滴同士のビーディングで発生するような大きな色むらの発生を抑えた画像を記録することが可能となる。
【００１４】
しかしながら、複数の記録画素が隣接して配置されたパターンを用いて記録を行う場合、異なる走査間で記録位置のずれが発生した際に記録された画像において別の問題が発生することがわかった。ここでは、この記録位置のずれとして記録媒体の搬送にずれが生じた場合を例として説明する。
【００１５】
図２（ａ）は、図１（ａ）に示すパターンに従ってある走査にてインクを吐出した後、記録媒体を搬送し、該搬送の後に異なる走査で記録画素が分散して配置されたパターンを用いてインクを吐出した際の画像表面の模式図である。また、図２（ｂ）は、図１（ｂ）に示すパターンに従って第１の走査にてインクを吐出した後、記録媒体を搬送し、該搬送の後に第２の走査で複数の記録画素が隣接して配置されたパターンを用いてインクを吐出した際の画像表面の模式図である。また、図３（ａ）は、図１（ａ）に示すパターンに従ってある走査にてインクを吐出した後、記録媒体の搬送にずれが生じ、該搬送の後に異なる走査で記録画素が分散して配置されたパターンを用いてインクを吐出した際の画像表面の模式図である。また、図３（ｂ）は、図１（ｂ）に示すパターンに従って第１の走査にてインクを吐出した後、記録媒体の搬送にずれが生じ、該搬送の後に第２の走査で複数の記録画素が隣接して配置されたパターンを用いてインクを吐出した際の画像表面の模式図である。なお、図２（ａ）、（ｂ）、図３（ａ）、（ｂ）に示す網目模様で示す円が第１の走査にて吐出されたインク滴を、また、黒で示す円が第２の走査にて吐出されたインク滴をそれぞれ示す。
【００１６】
ここでは簡単のため、図３（ａ）、（ｂ）ともに搬送量がＹ方向上流側に１画素分だけずれた場合を示している。したがって、インク滴は図２（ａ）、（ｂ）と図３（ａ）、（ｂ）とをそれぞれ比較すればわかるように、図３（ａ）、（ｂ）に示す搬送ずれが生じた場合における画像では各記録画素よりもＹ方向上流側に１画素分だけずれた位置にインクが吐出される。
【００１７】
図３（ａ）に示すように、記録画素が分散して配置されたパターンを用いる場合、記録媒体の搬送がずれた場合であっても図２（ａ）に示す搬送にずれが生じなかった場合と比べて単位領域内のインク滴による被覆面積は然程大きくは変わらない。
【００１８】
これに対し、図３（ｂ）に示す複数の記録画素が隣接して配置されたパターンを用いる場合は、搬送のずれによって図２（ｂ）に示す搬送ずれが生じなかった場合と比べて単位領域内のインク滴による被覆面積は大きく減少する。これにより、インクが吐出されない領域（以下、非吐出領域とも称する）１００がＸ方向に数画素分延在して複数形成される。このような非吐出領域１００では最終的に得られる画像において記録媒体の表面が見えてしまい、画像中の白抜けとして視認されてしまう。このため、非吐出領域１００は画質を低下させる要因となってしまう。
【００１９】
また、第１の走査と第２の走査とが互いに離れた走査である場合（例えば、８回の走査で記録を行う装置において第１の走査が１回目の走査であり、第２の走査が５回目の走査である場合）、上述の搬送のずれ等が生じる機会が多くなってしまうため、白抜けはより発生し易くなる。
【００２０】
なお、ここでは記録媒体の搬送にずれが生じた際に非吐出領域が発生する場合について説明したが、上述のように複数の記録画素が隣接して配置されたパターンを使用する場合には種々の記録位置ずれが生じる際に非吐出領域が発生してしまう。
【００２１】
例えば、それぞれ複数の吐出口がＹ方向に配列された同色のインクに対応する複数の吐出口列がＹ方向に複数配列された、いわゆるつなぎヘッドを用いる場合、上述の非吐出領域が発生し易くなる。
【００２２】
図４はつなぎヘッドを用いる場合に非吐出領域が形成されるメカニズムを説明するための図である。
【００２３】
図４（ａ）は複数の吐出口列が誤差なく配置されて構成されたつなぎヘッドを示す図である。このようなつなぎヘッド１２３ａを用いてマルチパス記録方式により記録を行う際、例えば記録媒体上の単位領域に対し２回の走査で記録を行う場合を考える。この場合、１回目の走査では単位領域に対し吐出口列１２２ａからインクを吐出し、該単位領域が位置１２３から位置１２４まで搬送され、２回目の走査において吐出口列１２２ｂからインクを吐出することで画像を記録する。
【００２４】
しかしながら、図４（ｂ）に示すように、つなぎヘッドを製造する際の製造誤差等により吐出口列１２２ｂが図４（ａ）に示す正規の位置に対して回転して配置されてしまう場合がある。このようなつなぎヘッド１２３ｂを用いて上述のマルチパス記録方式により記録を行うと、吐出口列１２２ｂからインクを吐出する際のインクの吐出位置がＸ方向にもＹ方向にもずれてしまう。これにより、つなぎヘッド１２３ｂにおける図４（ａ）に示す領域１２６に対応する記録媒体にはインクが吐出されず、上述のインクの非吐出領域が発生してしまう。
【００２５】
本発明は上記の課題を鑑みて為されたものであり、ビーディングによる色むらと搬送や吐出口列の配置等のずれに由来する非吐出領域の発生の双方を抑制することのできる画像記録装置を提供することを目的とするものである。
【課題を解決するための手段】
【００２６】
そこで、本発明は、所定の色のインクを吐出するための複数の吐出口が配列方向に配列された吐出口列を少なくとも１つ有する記録ヘッドと、前記記録ヘッドと記録媒体上の単位領域とを前記配列方向と交差する走査方向に複数回走査させる走査手段と、前記記録ヘッドの前記複数回の走査のそれぞれの間において、前記記録媒体を前記走査方向と交差する搬送方向に前記複数の吐出口を分割して構成されるそれぞれ前記配列方向に連続して配列された所定数の吐出口からなる複数の前記吐出口群それぞれの前記配列方向における長さに対応する距離の搬送を行う搬送手段と、前記複数の吐出口群のそれぞれに対応し、それぞれ前記単位領域への記録の許容を定める記録許容画素と記録の非許容を定める非記録許容画素が配置された複数のマスクパターンに基づいて、前記単位領域に対応する画像データから前記単位領域に対する前記複数回の走査のそれぞれにおいて前記複数の吐出口群のそれぞれから前記単位領域に対してインクを吐出するための記録データを生成する生成手段と、前記記録データに基づいて、前記複数回の走査のそれぞれにおいて前記複数の吐出口群のそれぞれから前記単位領域にインクを吐出させる記録制御手段と、を有する画像記録装置であって、前記複数のマスクパターンのうちの少なくとも２つの前記マスクパターンからなる第１のマスクパターン群に関し、（ｉ）前記第１のマスクパターン群のそれぞれのマスクパターンは、それぞれ複数の前記記録許容画素と複数の前記非記録許容画素が配置された複数の第１の画素領域と、前記複数の第１の画素領域の間にそれぞれ複数の前記非記録許容画素のみが配置された複数の第２の画素領域と、を含み、（ｉｉ）前記第１のマスクパターン群のそれぞれのマスクパターンにおける前記複数の第１の画素領域は、それぞれ互いに対応する位置に構成され、（ｉｉｉ）前記第１のマスクパターン群のそれぞれのマスクパターンにおける、前記配列方向または前記走査方向に互いに隣接して配置された複数の前記記録許容画素により構成される記録許容画素群および他の記録許容画素と隣接しない記録許容画素のそれぞれを１つの単位とした記録許容画素の単位内の前記記録許容画素の数の平均は、所定の値以下であり、（ｉｖ）前記第１のマスクパターン群のそれぞれのマスクパターンに配置された複数の前記記録許容画素の論理和により得られる第１の論理和パターンにおける前記単位内の前記記録許容画素の数の平均は、前記所定の値よりも大きいことを特徴とする。
【発明の効果】
【００２７】
本発明の画像記録装置によれば、ビーディングによる色むらと搬送等のずれに由来する非吐出領域の発生の双方を効果的に抑制し、良好な画質の画像を得ることができる。
【図面の簡単な説明】
【００２８】
【図１】ビーディングを説明するための図である。
【図２】記録媒体の搬送のずれに由来する非吐出領域の発生を説明するための図である。
【図３】記録媒体の搬送のずれに由来する非吐出領域の発生を説明するための図である。
【図４】吐出口列の配置のずれに由来する非吐出領域の発生を説明するための図である。
【図５】実施形態で適用する画像記録装置の斜視図である。
【図６】実施形態で適用する画像記録装置の内部機構の側面図である。
【図７】実施形態で適用する記録ヘッドの模式図である。
【図８】一般的なマルチパス記録方式を説明するための図である。
【図９】一般的なマルチパス記録方式で適用するマスクパターンの模式図である。
【図１０】実施形態における記録の制御系を説明するための模式図である。
【図１１】実施形態におけるデータの処理過程を説明するための図である。
【図１２】実施形態におけるマルチパス記録方式を説明するための図である。
【図１３】実施形態における記録許容画素の単位を説明するための図である。
【図１４】実施形態におけるマスクパターンの評価領域を説明するための図である。
【図１５】実施形態に適用するマスクパターンを示す図である。
【図１６】実施形態におけるマスクパターンの画素領域を説明するための図である。
【図１７】実施形態における論理和パターンを説明するための図である。
【図１８】実施形態における記録の過程を説明するための図である。
【図１９】実施形態における搬送等のずれが生じた際の様子を説明するための図である。
【図２０】比較形態に適用するマスクパターンを示す図である。
【図２１】比較形態における搬送等のずれが生じた際の様子を説明するための図である。
【図２２】実施形態に適用するマスクパターンを示す図である。
【図２３】実施形態に適用するマスクパターンを示す図である。
【図２４】実施形態に適用するマスクパターンを示す図である。
【発明を実施するための形態】
【００２９】
（第１の実施形態）
以下に本発明の第１の実施形態を詳細に説明する。
【００３０】
図５は本実施形態に係る画像記録装置の構成を部分的に示す斜視図である。また、図６は本実施形態に係る画像記録装置の構成を部分的に示す側面図である。
【００３１】
画像記録装置１０００の内部には筐体１が設けられており、この筐体上にプラテン２が配置されている。また筐体内にはシート状の記録媒体３をプラテン２に吸着させるための吸引装置４が設けられている。さらに筐体１の長手方向に設置されたメインレール５に、Ｘ方向（走査方向）に往復移動するキャリッジ６が支持されている。キャリッジ６は、インクジェット方式の記録ヘッド７を搭載しており、記録ヘッド７は、発熱体を用いた方式、ピエゾ素子を用いた方式など、さまざまなインクジェット方式を用いることができる。キャリッジモータ８は、キャリッジ６をＸ方向に移動させるための駆動源であり、その回転駆動力はベルト９でキャリッジ６に伝達する。キャリッジ６のＸ方向における位置は、リニアエンコーダで検出してモニタする。リニアエンコーダは、筐体１に取り付けた直線状のエンコーダパターン１０と、それを光学的、磁気的あるいは機械的に読み取る、キャリッジ６に搭載された読取部（図５では不図示）からなる。
【００３２】
記録媒体３は、給紙スプール１８に備えられたロール状の給紙媒体２３から給紙される。記録媒体３としては種々の媒体を使用することができるが、記録物の屋外展示を考慮すると非吸水性あるいは低吸水性の媒体を使用することが好ましい。例えば塩化ビニルシートなどの低吸水性の樹脂で記録面が形成されているものが挙げられる。給紙スプール１８は記録媒体３にブレーキ力を作用させるためのトルクリミッタ１９を備える。記録媒体３はプラテン２上で、キャリッジ６のＸ方向と交差するＹ方向（搬送方向）に搬送される。この搬送は、搬送ローラ１１、ピンチローラ１６、ベルト１２、搬送モータ１３からなる駆動機構により行う。搬送ローラ１１の駆動状態（回転量、回転速度）は、ロータリーエンコーダで検出してモニタする。ロータリーエンコーダは、搬送ローラ１１と共に回転する円周状のエンコーダパターン１４と、それを光学的、磁気的あるいは機械的に読み取る読取部１５からなる。記録媒体３は記録ヘッド７により印字された後、巻取りスプール２０により巻取られ、ロール状の巻取り媒体２４を形作る。巻取りスプール２０は巻取りモータ２１により回転し、記録媒体３に巻取りテンションを作用させるためのトルクリミッタ２２を備える。
【００３３】
本実施形態ではプラテン２と対向する位置に位置する第１ヒータ２５と、プラテン２よりＹ方向の下流側でありプラテン２と対向する位置に位置する第２ヒータ２７からの熱によりインクに含有される色材の記録媒体３上への定着を図る。
【００３４】
第１ヒータ２５は第１ヒータカバー２６に、第２ヒータ２７は第２ヒータカバー２８にそれぞれ覆われている。これらの第１ヒータカバー２６および第２ヒータカバー２８はそれぞれのヒータの熱を記録媒体の表面に効率良く照射する機能と、それぞれのヒータの保護の機能とを担っている。第１ヒータ２５はインクに含有される水分を蒸発させ、インク滴の粘度を上昇させるために設けられており、記録ヘッド７よりインクが吐出される際には記録媒体は既に均一に加熱されている。本実施形態では第１ヒータの温度は記録媒体の表面が６０℃となるような温度に設定している。なお、第１ヒータ２５から熱を受ける段階ではインクが記録媒体３上で完全に定着する必要はなく、ある程度粘度が上昇し、記録媒体３上でのインクの流動性が低下する程度で良い。第１ヒータ２５の加熱方法としては、温風ヒータ、赤外線ヒータ、記録媒体に接触する熱伝導型ヒータなど種々のものを用いることができるが、特に赤外線ヒータが好ましい。
【００３５】
また、第２ヒータ２７では第１ヒータ２５よりも高温で加熱を行い、インクに含有される後述する樹脂エマルジョンを皮膜化させ、インク滴を記録媒体３上に定着させる。本実施形態においては記録媒体の表面温度が９０℃になるような温度に設定している。
【００３６】
なお、本実施形態では第１ヒータ２５と第２ヒータ２７で二段階に分けて加熱を行う形態を採用したが、本発明はこの形態に限定されるものではない。例えば、三段階以上の段階に分けて加熱を行う形態、あるいは一段階だけで加熱を行う形態のいずれにも適用することが可能である。
【００３７】
図７は本実施形態に用いる記録ヘッド７の吐出口３０の配列を模式的かつ略式的に示す平面図である。
【００３８】
記録ヘッド７は、ブラック（Ｋ）、シアン（Ｃ）、マゼンタ（Ｍ）、イエロー（Ｙ）、のインクをそれぞれ吐出する４つの吐出口列２２Ｋ、２２Ｃ、２２Ｍ、２２ＹがＸ方向に並んで配列されることにより構成される。吐出口列２２Ｋは、それぞれインクを吐出するための６４０個（所定数）の吐出口３０が１２００ｄｐｉの密度でＹ方向（配列方向）に配列された列２２Ｋａ、２２ＫｂがＹ方向に配列することで構成されている。吐出口列２２Ｃ、２２Ｍ、２２Ｙも、吐出口列２２Ｋと同様に、それぞれ２つの列がＹ方向に沿って配列されている。なお、本実施形態における一つの吐出口３０から一度に吐出されるインクの吐出量は約４．５ｎｇである。
【００３９】
これらの吐出口列２２Ｋ、２２Ｃ、２２Ｍ、２２Ｙは、それぞれ対応するインクを貯蔵する不図示のインクタンクに接続され、インクの供給が行われる。なお、本実施形態にて用いる記録ヘッド７とインクタンクは一体的に構成されるものでも良いし、それぞれが分離可能な構成のものでも良い。
【００４０】
本実施形態で使用するインクはいずれも樹脂エマルジョンを含有している。本実施形態において「樹脂エマルジョン」とは、水中に分散している状態で存在するポリマー微粒子を意味する。具体的には、（メタ）アクリル酸アルキルエステルや（メタ）アクリル酸アルキルアミドなどのモノマーを乳化重合するなどして合成したアクリルエマルジョン；（メタ）アクリル酸アルキルエステルや（メタ）アクリル酸アルキルアミドなどとスチレンのモノマーを乳化重合するなどして合成したスチレン−アクリルエマルジョン；ポリエチレンエマルジョン、ポリプロピレンエマルジョン、ポリウレタンエマルジョン、スチレン−ブタジエンエマルジョンなどが挙げられる。また、樹脂エマルジョンを構成するコア部とシェル部でポリマーの組成が異なるコアシェル型樹脂エマルジョンや、粒径を制御するために予め合成したアクリル系微粒子をシード粒子とし、その周辺で乳化重合することにより得られるエマルジョンなどでもよい。更には、アクリル樹脂エマルジョンとウレタン樹脂エマルジョンなど異なる樹脂エマルジョンを化学的に結合させたハイブリッド型樹脂エマルジョンなどでもよい。
【００４１】
樹脂エマルジョンを構成するモノマーとしては、（メタ）アクリル酸；メチル（メタ）アクリレート、ｎ−ブチル（メタ）アクリレート、２−エチルヘキシル（メタ）アクリレートなどのアルキルアルコールと（メタ）アクリル酸から合成される（メタ）アクリル酸アルキルエステル；（メタ）アクリルアミド、ジメチル（メタ）アクリルアミド、Ｎ，Ｎ−ジメチルエチル（メタ）アクリルアミド、Ｎ，Ｎ−ジメチルプロピル（メタ）アクリルアミド、イソプロピル（メタ）アクリルアミド、ジエチル（メタ）アクリルアミド（メタ）アクリロイルモルホリンなどの（メタ）アクリル酸アルキルアミドが挙げられる。
【００４２】
本実施形態のインクに使用する樹脂エマルジョンの分子量は、ＧＰＣにより得られるポリスチレン換算の数平均分子量（Ｍｎ）が、１００，０００以上３，０００，０００以下、更には３００，０００以上２，０００，０００以下であることが好ましい。
【００４３】
本実施形態のインクに使用する樹脂エマルジョンの平均粒径は、５０ｎｍ以上２５０ｎｍ以下であることが好ましい。
【００４４】
本実施形態のインクに使用する樹脂エマルジョンのガラス転移温度（Ｔｇ）は、４０℃以上９０℃以下であることが好ましい。この観点から、得られた樹脂エマルジョンのＴｇが４０℃以上９０℃以下の範囲となる、メチル（メタ）アクリレート、ｎ−ブチル（メタ）アクリレート、２−エチルヘキシル（メタ）アクリレートを用いた樹脂エマルジョンを用いることが好ましい。
【００４５】
本実施形態のインクに使用する樹脂エマルジョンの含有量（質量％）は、インク全質量を基準として０．１質量％以上１０．０質量％以下が好ましい。
【００４６】
本実施形態では、基材上の塩化ビニルの層が形成されたシートを記録媒体として使用する。本実施形態の記録媒体は塩化ビニルシートに限定されるものではない。しかしながら、インクの吸収性が低い、もしくはインクを吸収しない記録媒体を使用する場合に特に顕著にプラテン上の非接触領域に対応する記録媒体上の領域における温度の低下が生じるため、本発明の効果をより好適に得ることができる。
【００４７】
本実施形態では、記録媒体上の単位領域に対し記録ヘッドを複数回走査させて記録を行う、所謂マルチパス記録方式に従って画像を記録する。
【００４８】
図８は４回の記録走査により記録媒体上の単位領域内に記録を行う際における一般的なマルチパス記録方式について説明するための図である。
【００４９】
また、図９は上述のマルチパス記録方式におけるそれぞれの記録走査において適用するマスクパターンについて説明するための図である。
【００５０】
インクを吐出する吐出口列２２に設けられたそれぞれの吐出口３０は、副走査方向に沿って４つの吐出口群２０１、２０２、２０３、２０４に分割される。
【００５１】
各マスクパターン２２１、２２２、２２３、２２４はそれぞれ複数のインクの吐出を定める記録許容画素とインクの非吐出を定める非記録許容画素が配置されることで構成されている。図９において、黒く塗りつぶされている箇所が記録許容画素を、白抜けで表されている箇所が非記録許容画素を表している。記録許容画素では入力された画像データがインクの吐出を表す画像データである場合にインクを吐出する記録データとする。また、非記録許容画素では、インクの吐出を表す画像データが入力された場合であってもインクを吐出しない記録データとする。
【００５２】
なお、これらのマスクパターン２２１、２２２、２２３、２２４における記録許容画素は、それぞれ互いに異なる位置であり、且つ、それぞれの論理和が全画素となるような関係となる位置に配置されている。
【００５３】
以下は記録媒体上にデューティが１００％の画像（以下、ベタ画像とも称する）を形成する例について説明する。
【００５４】
１回目の記録走査（１パス）では、記録媒体３上の領域２１１に対して吐出口群２０１からマスクパターン２２１に従ってインクが吐出される。この結果、記録媒体上では図８のＡの黒色で示す位置にインクが吐出される。
【００５５】
次に、記録媒体３を記録ヘッド７に対してＹ方向の上流側から下流側にＬ／４の距離だけ相対的に搬送する。
【００５６】
この後に２回目の記録走査（２パス）を行う。２回目の記録走査では、記録媒体上の領域２１１に対しては吐出口群２０２からマスクパターン２２２に、領域２１２に対しては吐出口群２０３からマスクパターン２２１に従ってインクが吐出される。この２回目の記録走査の結果、記録媒体３には図８のＢの黒色で示すような画像が形成される。
【００５７】
以下、記録ヘッド７の記録走査と記録媒体３の相対的な搬送を交互に繰り返す。この結果、４回目の記録走査（４パス）が行われた後には、記録媒体３のＤの領域２１１ではすべての画素に相当する小領域に対してインクの吐出が完了し、ベタ画像が形成される。
【００５８】
なお、以下の説明では、記録媒体における画素相当の領域を、単に「画素」と記載することがある。
【００５９】
図１０は、本実施形態における制御系の概略構成を示すブロック図である。主制御部３００は、演算、選択、判別、制御などの処理動作を実行するＣＰＵ３０１と、ＣＰＵ３０１によって実行すべき制御プログラム等を格納するＲＯＭ３０２を備えている。また、主制御部３００は記録データのバッファ等として用いられるＲＡＭ３０３、および入出力ポート３０４等を更に備えている。また、ＲＯＭ３０３には後述するマスクパターン等も合わせて格納されている。そして、入出力ポート３０４には、搬送モータ（ＬＦモータ）３０９、キャリッジモータ（ＣＲモータ）３１０、記録ヘッド７及び切断ユニットにおけるアクチュエータなどの各駆動回路３０５、３０６、３０７、３０８が接続されている。さらに、主制御部３００はインターフェイス回路３１１を介してホストコンピュータであるＰＣ３１２に接続されている。
【００６０】
図１１は本実施形態における画像データの処理過程を説明するフローチャートである。ホストコンピュータであるＰＣ３１２のアプリケーションＪ１０１を介して、ユーザーは記録装置１０００で記録する画像のデータを作成することができる。記録を行う際には、アプリケーションＪ１０１で作成された画像のデータはプリンタドライバ１０３に伝送される。プリンタドライバ１０３は、作成された画像のデータに対して前段処理Ｊ０００２、後段処理Ｊ０００３、γ補正Ｊ０００４、２値化処理Ｊ０００５、および印刷データの作成Ｊ０００６をそれぞれ実行する。前段処理Ｊ０００２では、ホストコンピュータ３１２の表示器の色域をプリンタ１０４の色域に変換する色域変換を行う。３次元ルックアップテーブルを用いることにより、Ｒ、Ｇ、Ｂそれぞれが８ビットで表現された画像のデータＲ、Ｇ、Ｂをプリンタの色域内の８ビットデータＲ、Ｇ、Ｂに変換する。後段処理Ｊ０００３では、変換された色域を再現する色をインクの色域に分解する。前段処理Ｊ０００２にて得られたプリント色域内の８ビットデータＲ、Ｇ、Ｂが表す色を再現するためのインクの組合せに対応した８ビットデータＣ、Ｍ、Ｙ、Ｋを求める処理を行う。γ補正Ｊ０００４では、色分解で得られた８ビットデータＣ、Ｍ、Ｙ、Ｋのそれぞれについてγ補正を行う。後段処理Ｊ０００３にて得られた８ビットデータＣ、Ｍ、Ｙ、Ｋのそれぞれがプリンタの階調特性に線形的に対応づけられるような変換を行う。２値化処理Ｊ０００５では、γ補正Ｊ０００４にて得られた８ビットデータＣ、Ｍ、Ｙ、Ｋのそれぞれを１ビットデータＣ、Ｍ、Ｙ、Ｋに変換する量子化処理を行う。この量子化手段としては、濃度パターン法やディザ法、誤差拡散法等が好適に用いられる。印刷データ作成処理Ｊ０００６では、２値化処理Ｊ０００５にて得られた１ビットデータＣ、Ｍ、Ｋ、Ｙを内容とする画像のデータに印刷制御データなどを付して１ビットの印刷データを作成する。なお、印刷制御データは記録媒体についての情報や記録品位についての情報等から構成される。
【００６１】
以上のようにして生成された印刷データは、プリンタ１０４へ供給される。マスクデータ変換処理Ｊ０００８では、印刷データ作成処理Ｊ０００６で作成された印刷データと、ＲＯＭ３０３に格納された該印刷データに対応するプラテンの位置情報に基づき設定された、後述するマスクパターンのデータを用いて印刷データをドットを形成するか否か、すなわち記録ヘッドにおけるインクの記録、非記録を表す記録データに変換する。このマスクパターンは、記録許容画素と非記録許容画素とが特定のパターンにて配置されることで構成される。記録許容画素では印刷データをインクの吐出の許容を表すデータに変換し、非記録許容画素ではインクの吐出の非許容を表すデータに変換する。なお、マスクデータ変換処理Ｊ０００８に用いられるマスクパターンは予めプリンタの所定のメモリに格納されている。例えば、上述したＲＯＭ３０２にマスクパターンを格納しておいて、このマスクパターンを利用してＣＰＵ３０１にて記録データへの変換を行うことができる。
【００６２】
マスクデータ変換処理にて得られた記録データは、ヘッド駆動回路３０７および記録ヘッド７に供給される。この記録データに基づき、記録ヘッド７に配列された各吐出口から記録媒体３に対してインクが吐出される。
【００６３】
以上の様な処理によって作成された吐出データに基づいて、入出力ポート３０４を介して各モータや記録ヘッドなどの駆動を制御し、記録動作を行う。
【００６４】
本実施形態で行うマルチパス記録方式について以下に詳細に説明する。なお、以下では簡単のため、４つの吐出口列２２Ｋ、２２Ｃ、２２Ｍ、２２Ｙのうちブラックインクを吐出する吐出口列２２Ｋのみについて説明する。
【００６５】
図１２は本実施形態におけるマルチパス記録方式を示す図である。
【００６６】
本実施形態では８回の記録走査によって記録媒体上の単位領域８０に対して画像を完成させる方式を採用する。本実施形態において使用する記録ヘッド７のうち、ブラックインクを吐出する吐出口列２２Ｋに配列されている吐出口は、吐出口群Ａ１から吐出口群Ａ８のそれぞれ長さｄを有する８つの吐出口群に分割される。なお、吐出口群Ａ１から吐出口群Ａ４までの４つの吐出口群は列２２Ｋｂに、吐出口群Ａ５から吐出口群Ａ５から吐出口群Ａ８までの４つの吐出口群は列２２Ｋａにそれぞれ属している。ここで、１つの吐出口群に含まれる吐出口の個数は１６０個である。
【００６７】
ここで、記録媒体３上の単位領域８０のＹ方向の長さは記録ヘッド７と記録媒体３とのＹ方向への１回の相対移動量に相当し、また、分割された吐出口列２２Ｋにおける１つの吐出口群の長さｄに相当する。また、単位領域８０のＸ方向の長さは記録媒体３のＸ方向の長さに相当する。
【００６８】
まず、記録媒体３の単位領域８０が位置８０ａにある際に、記録ヘッド７をＸ方向に走査しながら単位領域８０に対し吐出口列２２Ｋの吐出口群Ａ１に属する吐出口から後述するマスクパターンに従ってそれぞれのインクが吐出される。その後、記録媒体３はＹ方向に距離ｄに対応する距離だけ搬送されて、単位領域８０は位置８０ｂへと移動される。この搬送の後、先に吐出口群Ａ１に属する吐出口からインクが吐出された記録媒体３上の単位領域８０に対し、記録ヘッド７のＸ方向への走査を伴いながら吐出口列２２Ｋの吐出口群Ａ２に属する吐出口からインクが吐出される。以降、このような距離ｄに対応する距離の記録媒体３の搬送を間に行いながら、記録媒体３上の単位領域８０に対し記録ヘッド７を合計８回走査することにより画像を完成させる。
【００６９】
本実施形態では、上述の複数回の走査のそれぞれで適用する複数のマスクパターンのそれぞれにおけるＸ方向またはＹ方向に互いに隣接して配置された複数の記録許容画素の連なりにより構成される記録許容画素群および他の記録許容画素と隣接しない記録許容画素のそれぞれを１つの単位とした場合の、記録許容画素の単位（以下、単純に「単位」とも称する）内の記録許容画素の数の平均を制御する。更に、前記複数のマスクパターンのうちの少なくとも２つのマスクパターンに配置された記録許容画素の論理和から得られる論理和パターンにおける単位内の記録許容画素の数の平均を制御する。これらの値をそれぞれ適切な数とすることにより、ビーディングによる色むらとずれによるインクの非吐出領域の形成の双方を抑制した記録を行う。
【００７０】
以下にその制御方法を詳細に説明する。
【００７１】
図１３は本実施形態における記録許容画素の単位の定義および記録許容画素の単位内の記録許容画素の数の平均について説明するための図である。
【００７２】
上述のように、記録許容画素群はＸ方向またはＹ方向に隣接する位置に配置された複数の記録許容画素から構成される。例えば、図１３（ａ）ではＸ方向に２画素、Ｙ方向に２画素（２×２）の４つの画素からなる、正方形の形状の記録許容画素群を示している。この場合、単位内の記録許容画素の数は４となる。
【００７３】
また、本実施形態では他のいずれの記録許容画素とも隣接しない記録許容画素であっても記録許容画素の単位と称する。図１３（ｂ）では隣接する記録許容画素が１つもない記録許容画素を示している。この場合の単位内の記録許容画素の数は１となる。
【００７４】
また、特定の方向に偏って連続した互いに隣接する複数の記録許容画素も本実施形態における記録許容画素群であり、図１３（ａ）に示したような等方的な形状に限定されるものではない。図１３（ｃ）では特定の方向に偏って連続した、Ｌ字型の記録許容画素群を示している。この場合、単位内の記録許容画素の数は７である。
【００７５】
また、本実施形態における隣接する記録許容画素とは、Ｘ方向およびＹ方向に連続する記録許容画素だけであり、斜め方向に隣接する記録許容画素は含まれない。すなわち、一つの記録許容画素に対してはＸ方向に２つ、Ｙ方向に２つの計４つの記録許容画素が隣接して配置される可能性がある。図１３（ｄ）では斜め方向に隣接した５つの記録許容画素を示している。上述の通り、斜め方向に隣接する記録許容画素は単位を構成するものではないため、これらの５つの記録許容画素はそれぞれ異なる単位を構成すると評価する。そのため、図１３（ｄ）に示す５つの記録許容画素のそれぞれにおける単位内の記録許容画素の数は１である。
【００７６】
図１４は本実施形態における記録許容画素の単位内の記録許容画素の数の平均の算出方法について説明するための図である。
【００７７】
本実施形態では、簡単のため、単位領域８０内の所定の画素数からなる評価領域における記録許容画素の単位内の記録許容画素の数の平均を算出し、その値を単位領域内の記録許容画素の単位内の記録許容画素の数の平均として用いる。なお、図１４は、単位領域のうちの評価領域に対応するマスクパターンの領域として、Ｘ方向に１６画素、Ｙ方向に１６画素の２５６個の画素からなる評価領域を例示している。本実施形態における単位内の記録許容画素の数の平均は、評価領域に対応するマスクパターンの領域に含まれる単位の数を算出し、該評価領域に対応するマスクパターンの領域内のそれぞれの単位内の記録許容画素の数を算出する。さらに、該それぞれの単位内の記録許容画素の数の和を算出し、該和を単位の数で割った値をそれぞれのマスクパターンにおける単位内の記録許容画素の数の平均とする。
【００７８】
例えば、図１４（ａ）に示す評価領域に対応するマスクパターンの領域内には、それぞれ互いに隣接する４つの記録許容画素から記録許容画素の単位Ｔが８個構成されている。したがって、図１４（ａ）に示すマスクパターンにおける単位内の記録許容画素の数の平均は、それぞれの単位内の記録許容画素の数の和である３２（＝４×８）を単位の数である８で割った値である４となる。
【００７９】
一方、図１４（ｂ）に示す評価領域に対応するマスクパターンの領域内には、互いに隣接する記録許容画素は存在しない。上述の定義に従って換言すると、単位内の記録許容画素の数が１である単位が合計３２個配置されている。したがって、図１４（ｂ）に示すマスクパターンにおける単位内の記録許容画素の数の平均は、それぞれの単位内の記録許容画素の数の和である３２（＝１×３２）を単位の数である３２で割った値である１となる。
【００８０】
本実施形態で適用するマスクパターンについて以下に詳細に説明する。
【００８１】
図１５は本実施形態のブラックインクの吐出口列２２Ｋに適用するマスクパターンを示す図である。
【００８２】
ブラックインクの吐出口列２２Ｋの吐出口群Ａ１から吐出口群Ａ８までの各吐出口群にはそれぞれマスクパターン６１からマスクパターン６８までのマスクパターンが適用される。なお、図１５には簡単のためそれぞれＸ方向に１６画素、Ｙ方向に１６画素の２５６個の画素から構成されるマスクパターンを記載しているが、これはマスクパターンの繰り返し単位を示している。実際には、図１５に示す各マスクパターンがＸ方向、Ｙ方向に変わるにしたがって繰り返し用いられる。
【００８３】
ここで、マスクパターン６１からマスクパターン６８までのマスクパターンのそれぞれには、同じ数（３２個）の記録許容画素が配置される。なお、これらのマスクパターン６１〜６８それぞれの記録許容画素は互いに異なる位置であり、且つ、それぞれの記録許容画素の論理和が全画素となるような位置に配置されている。
【００８４】
このようなマスクパターンを適用することにより、１回目から８回目までの記録走査においてブラックインクをほぼ同じ量ずつ吐出することができる。さらに、１回目から８回目までの記録走査によって記録媒体上の単位領域内のすべての吐出可能な位置にブラックインクを付与することができる。
【００８５】
マスクパターン６１〜６８のそれぞれには、Ｘ方向またはＹ方向に互いに隣接する記録許容画素は存在しない。すなわち、単位内の記録許容画素の数が１である単位が合計３２個配置されていることとなる。そのため、上述の算出方法にしたがって各マスクパターンにおける単位内の記録許容画素の数の平均を算出すると、いずれのマスクパターンにおいても単位内の記録許容画素の数の平均は１となる。
【００８６】
また、図１５に示す８つのマスクパターンのそれぞれは、８つの記録許容画素と８つの非記録許容画素が配置された第１の画素領域と、１６個の非記録許容画素が配置された第２の画素領域と、を有するように設定されている。マスクパターン６１を例として、第１、第２の画素領域について詳細に説明する。
【００８７】
図１６はマスクパターン６１の第１、第２の画素領域を説明するための図である。
【００８８】
本実施形態における第１の画素領域とは、マスクパターン内の記録許容画素が配置されている領域において最外殻に位置する記録許容画素または非記録許容画素により囲まれた領域である。また、本実施形態における第２の画素領域とは、第１の画素領域と同じ大きさを有し、領域内の画素がすべて非記録許容画素である領域である。
【００８９】
図１６に示すように、マスクパターン６１は１６画素×１６画素の範囲において４つの第１の画素領域１２１と、１２個の第２の画素領域１２２から構成されている。ここで、第１、第２の画素領域のそれぞれは４画素×４画素の大きさを有している。図１５からわかるように、マスクパターン６２〜６８のいずれも１６画素×１６画素の範囲では４つの第１の画素領域１２１と、１２個の第２の画素領域１２２から構成されている。
【００９０】
更に、吐出口群Ａ１、Ａ５にそれぞれ適用されるマスクパターン６１、６５では第１の画素領域１２１が同じ位置に構成されている。同様に、吐出口群Ａ２、Ａ６にそれぞれ適用されるマスクパターン６２、６６、吐出口群Ａ３、Ａ７にそれぞれ適用されるマスクパターン６３、６７、吐出口群Ａ４、Ａ８にそれぞれ適用されるマスクパターン６４、６８の間においても第１の画素領域１２１がそれぞれ互いに同じ位置に構成されている。
【００９１】
以下、第１の画素領域１２１が同じ位置に構成されているマスクパターン６１、６５を第１のマスクパターン群、マスクパターン６２、６６を第２のマスクパターン群、マスクパターン６３、６７を第３のマスクパターン群、マスクパターン６４、６８を第４のマスクパターン群と分類して説明する。
【００９２】
図１７は図１５に示す８つのマスクパターンのうち、同じマスクパターン群に分類される２つのマスクパターンに配置された複数の記録許容画素の論理和により得られる論理和パターンを示す図である。
【００９３】
本実施形態では、同じマスクパターン群に分類された２つのマスクパターンにおける記録許容画素の論理和により得られる論理和パターンにおける上述の単位内の記録許容画素の数の平均が所定の閾値よりも大きくなるように、各マスクパターンを設定する。
【００９４】
なお、本実施形態における論理和パターンとは、複数のマスクパターンをずれなく重ね合わせた際にいずれかのマスクパターンにおいて記録許容画素が配置された位置に記録許容画素を配置し、いずれのマスクパターンにおいても記録許容画素が配置されていない位置に非記録許容画素を配置したパターンを示す。
【００９５】
図１７（ａ）には、図１５に示す１回目の走査に対応する吐出口群Ａ１に適用するマスクパターン６１に配置された記録許容画素と、５回目の走査に対応する吐出口群Ａ５に適用するマスクパターン６５に配置された記録許容画素と、の論理和により得られる第１の論理和パターンを示す。
【００９６】
第１の論理和パターンには、Ｘ方向またはＹ方向に互いに隣接する１６個の記録許容画素から構成される記録許容画素の単位が４個構成される。そのため、上述の算出方法にしたがって算出される単位内の記録許容画素の数の平均は１６となる（＝１６×４÷４）。
【００９７】
このように、第１の論理和パターンにおける第１の画素領域に対応する領域では、すべての位置に記録許容画素が配置されている。なお、第１の論理和パターンにおける第１の画素領域に対応する領域におけるほぼすべての位置に記録許容画素が配置されていればよい。また、第１の論理和パターンにおける記録許容画素の分散性は第１のマスクパターン群のマスクパターン６１、６５のそれぞれにおける記録許容画素の分散性よりも低くなるように設定される。なお、本実施形態では、上述の単位内の記録許容画素の数の平均が大きい場合に、記録許容画素の分散性が低いとして評価する。
【００９８】
同様に、図１７（ｂ）、図１７（ｃ）、図１７（ｄ）には、図１５にそれぞれ示す第２のマスクパターン群に分類されるマスクパターン６２、６６に対応する第２の論理和パターン、第３のマスクパターン群に分類されるマスクパターン６３、６７に対応する第３の論理和パターン、第４のマスクパターン群に分類されるマスクパターン６４、６８に対応する第４の論理和パターンをそれぞれ示している。
【００９９】
第２、第３、第４の論理和パターンのいずれにおいても、上述の算出方法にしたがって算出される単位内の記録許容画素の数の平均は１６となる。
【０１００】
以上記載したように、本実施形態では、それぞれのマスクパターンにおける単位内の記録許容画素の数の平均が０となり、且つ、同じマスクパターン群に分類される２つのマスクパターンに対応する論理和パターンのそれぞれにおける単位内の記録許容画素の数の平均が１６となるように記録許容画素が配置されたマスクパターンを適用する。これにより、ビーディングによる色むらと搬送等のずれに由来する非吐出領域の形成の双方を抑制した記録を行うことを可能とする。
【０１０１】
以下に上述の各マスクパターンを適用することでビーディングによる色むらと搬送等のずれに由来する非吐出領域の形成の双方を抑制することができる推定メカニズムについて説明する。
【０１０２】
まず、ビーディングによる色むらの抑制についての推定メカニズムを以下に記載する。
【０１０３】
図１８は、図１５に示す各マスクパターンを各走査にて各吐出口群に適用して記録を行う過程を示す図である。なお、図１８（ａ）から図１８（ｆ）はそれぞれ１、２、３、４、５、８回目の走査が終了した際に形成されている画像を示している。
【０１０４】
１回目の走査では、図１８（ａ）に示すように、８つのインク滴が記録媒体上の互いに接触する位置に形成される。これらの８つのインク滴は加熱により記録媒体上に定着する前に互いに集合し合う方向に引き寄せ合い、１つの大インク滴を形成する。しかしながら、同じ走査で形成された大インク滴同士は接触しないため、大インク滴間におけるビーディングを抑制することができる。
【０１０５】
２回目の走査においても、図１８（ｂ）に示すように、８つのインク滴が記録媒体上の互いに接触する位置に形成される。そのため、１回目の走査の際と同様に大インク滴が形成されるが、大インク滴間におけるビーディングを抑制できる。なお、２回目の走査では１回目の走査で形成されたインク滴と接触する位置にインク滴が形成されるが、２回目の走査を行う際には通常は先の走査で形成されたインク滴はある程度定着が進んでいる。そのため、１、２回目の走査で形成されるインク滴間でのビーディングは生じない。
【０１０６】
以下、同様にして図１８（ｃ）、図１８（ｄ）にそれぞれ示すように３、４回目の走査が行われる。ここで、図１８（ｄ）に示すように、４回目の走査が行われた後には記録媒体上の単位領域のすべてに対してインク滴が既に被覆しており、画像の白抜け（記録媒体の表面が視認できる領域）は殆ど存在しない。
【０１０７】
５回目の走査では、図１８（ｅ）に示す位置にインク滴が形成される。ここで、５回目の走査で形成されるインク滴は１回目の走査でインク滴が形成された位置とほぼ同じ位置に形成されるが、実際には僅かにずれた位置に形成される。
【０１０８】
同様にして、６、７、８回目の走査が行われ、８回目の走査が行われた後、図１８（ｆ）に示すように画像の形成が終了する。
【０１０９】
以上記載したように、本実施形態におけるマスクパターンを適用することで各走査で形成される大インク滴同士の接触を抑制することができるため、ビーディングの影響を抑制した記録を行うことができる。
【０１１０】
次に、搬送等のずれに由来する非吐出領域の形成の抑制についての推定メカニズムを以下に記載する。
【０１１１】
図１９は、４回目と５回目の走査の間に記録媒体の搬送のずれが生じた際に形成される画像を示す図である。ここでは、記録媒体の搬送が基準の搬送量ｄよりも３個の吐出口に対応する長さΔｄだけ短くなってしまった場合を例として記載する。なお、４回目の走査までに形成される画像については図１８に示す画像と同様のため、説明を省略する。
【０１１２】
図１９（ａ）は、４、５回目の走査の間に搬送ずれが生じ、その後に５回目の走査を行った際の画像を示す。搬送ずれの影響により、図１８（ｅ）に示す搬送ずれが生じなかった場合に形成される画像に比べ、インク滴はＹ方向上流側にΔｄだけずれた位置に形成される。これにより、最終的に得られる画像において若干のむらが生じる虞がある。しかしながら、図１８（ｄ）に示すように、４回目の走査までに記録媒体上のすべての領域をインク滴が被覆しているため、４、５回目の走査の間に搬送ずれが生じた場合であっても画像の白抜けは形成されない。
【０１１３】
図１９（ｂ）は更に記録が進み、８回目の走査を行った際の画像を示す。なお、ここでは５回目の走査以降の搬送では上述のような搬送ずれは生じなかった場合について記載する。
【０１１４】
５回目の走査以降の走査においても、上述の搬送ずれの影響を受けているため、インク滴を形成する予定だった位置よりもそれぞれＹ方向上流側にΔｄだけずれた位置にインク滴が形成される。しかしながら、上述した５回目の走査と同じように画像の白抜けは形成されない。そのため、最終的に得られる画像におけるにおいても画像の白抜けは形成されず、画質の悪化を抑制することができる。
【０１１５】
上述の搬送等のずれに由来する非吐出領域の形成の抑制に対する比較形態について以下に記載する。
【０１１６】
図２０は比較形態にて適用するマスクパターンを示す図である。また、図２１は図２０に示すマスクパターンを適用して画像を記録した際に４、５回目の走査の間に搬送ずれが生じた際の様子を説明するための図である。なお、図２１（ａ）から図２１（ｄ）はそれぞれ１、４、５、８回目の走査を行った際の画像を示す。なお、搬送のずれ量としては図１９（ａ）と同様に、基準の搬送量ｄよりも３個の吐出口に対応する長さΔｄだけ短くなった場合について記載する。また、図２０に示す各マスクパターンには図１５に示す各マスクパターンに配置された記録許容画素と同じ数（３２個）だけ記録許容画素が配置されている。
【０１１７】
図２０に示すように、比較形態では、各走査において各吐出口群に適用される８つのマスクパターンのそれぞれは上述の単位内の記録許容画素の数の平均が４となるように設定されている。
【０１１８】
１回目の走査では、図２１（ａ）に示すように、８個のインク滴が互いに接触する位置にインク滴が形成され、大インク滴が形成される。したがって、比較形態においても大インク滴同士が接触しない位置に形成することが可能なので、大インク滴同士のビーディングは抑制することができる。
【０１１９】
しかしながら、図２１（ｂ）に示すように、比較形態におけるマスクパターンで記録を行った場合には４回目の走査が行われた後であっても記録媒体上にはインクが未だ被覆されていない領域が形成されてしまう。
【０１２０】
そのため、４、５回目の走査の間にΔｄだけの搬送ずれが生じた場合、図２１（ｃ）に示すように該搬送ずれの影響により画像の白抜けが生じてしまう虞がある。
【０１２１】
したがって、図２１（ｄ）に示すように８回目の走査が行われ画像の記録が終了した際であっても、該搬送ずれの影響により記録媒体上の未だにインク滴が被覆されていない領域７９が生じてしまう。これにより、該領域７９が白抜けとして視認されるため、画像の画質を著しく低下させてしまう。
【０１２２】
以上記載したように、本実施形態におけるマスクパターンを適用することで最終的に得られる画像における搬送等のずれに由来する非吐出領域（白抜け）の形成を抑制することが可能となる。
【０１２３】
以上より、本実施形態の構成によれば、ビーディングによる色むらと搬送等のずれに由来する非吐出領域の形成の双方を効果的に抑制した画像の記録を行うことができる。
【０１２４】
（第２の実施形態）
第１の実施形態では複数の吐出口列がＹ方向に配置された所謂つなぎヘッドを用いて記録を行う形態について記載した。
【０１２５】
これに対し、本実施形態では単一の吐出口列からなる記録ヘッドを用いて記録を行う場合について記載する。
【０１２６】
なお、前述した第１の実施形態と同様の部分については説明を省略する。
【０１２７】
図２２は本実施形態で使用する記録ヘッドと、本実施形態で適用するマスクパターンを示す模式図である。
【０１２８】
本実施形態では、インクを吐出するための吐出口３０がＹ方向に１２８０個配置された記録ヘッド１３０を使用する。これらの吐出口３０は、それぞれ１６０個の吐出口３０から構成される８つの吐出口群Ｂ１から吐出口群Ｂ８に分割される。記録媒体上の単位領域に対し８回の走査を行い、吐出口群Ｂ１〜Ｂ８からそれぞれ１回ずつ単位領域に対しインクを吐出することにより画像を記録する。なお、上述の８回の走査のそれぞれの間に記録媒体はＹ方向に１つの吐出口群の長さに対応する距離だけ搬送される。
【０１２９】
上述の８回の走査のそれぞれでは、各走査に対応する吐出口群Ｂ１〜Ｂ８のそれぞれにマスクパターン８１からマスクパターン８８をそれぞれ適用して記録を行う。マスクパターン８１〜８８における記録許容画素の配置は、図１５に示す第１の実施形態で適用するマスクパターン６１〜６８における記録許容画素の配置と同じである。
【０１３０】
本実施形態に記載のマスクパターンを適用すれば、各走査において複数のインク滴からなる大インク滴同士が接触しないようにインクを吐出することができるため、大インク滴間におけるビーディングを抑制することができる。更に、４回目の走査が終了した際に単位領域上のほぼ全域をインク滴が被覆するため、以降の走査にて搬送のずれが生じた際であってもインクの非吐出領域が形成することがないように記録することができる。
【０１３１】
（第３の実施形態）
第１、第２の実施形態では各走査に対応する複数のマスクパターンのうち２つのマスクパターンが１つのマスクパターン群に分類される形態について記載した。
【０１３２】
これに対し、本実施形態では１つのマスクパターン群に対し３つのマスクパターンが分類される形態について記載する。
【０１３３】
なお、上述した第１、第２の実施形態と同様の部分については説明を省略する。
【０１３４】
図２３は本実施形態で適用するマスクパターンを示す図である。
【０１３５】
本実施形態では、記録媒体上の単位領域に対し１２回走査を行うことにより画像を記録する。なお、本実施形態では第１の実施形態で用いた記録ヘッドと同様の記録ヘッドを使用する。
【０１３６】
本実施形態で使用する記録ヘッド内の列２２Ｋｂ，２２Ｋａはそれぞれ吐出口群Ｃ１から吐出口群Ｃ６、吐出口群Ｃ７から吐出口群Ｃ１２までの６つの吐出口群に分割される。記録媒体上の単位領域に対する１２回の走査において、１２個の吐出口群Ｃ１〜Ｃ１２のそれぞれから１回ずつインクを吐出することで単位領域に記録を行う。それぞれの走査におけるそれぞれの吐出口群は、図２３に示す１２個のマスクパターン９１〜９１２のそれぞれにしたがってインクを吐出する。
【０１３７】
本実施形態で適用する１２個のマスクパターン９１〜９１２は、図２３に示すように、それぞれＸ方向またはＹ方向に複数の記録許容画素が隣接しないように設定されている。したがって、マスクパターン９１〜９１２のそれぞれにおける前述の単位内の記録許容画素の数の平均は０である。
【０１３８】
また、マスクパターン９１、９５、９９はそれぞれ互いに同じ位置に第１の画素領域が構成されている。同様に、マスクパターン９２、９６、９１０、マスクパターン９３、９７、９１１、およびマスクパターン９４、９８、９１２のそれぞれの組においてもそれぞれ互いに同じ位置に第１の画素領域が構成されている。
【０１３９】
したがって、本実施形態で適用する１２個のマスクパターンは、マスクパターン９１、９５、９９から構成される第１のマスクパターン群、マスクパターン９２、９６、９１０から構成される第２のマスクパターン群、マスクパターン９３、９７、９１１から構成される第３のマスクパターン群、マスクパターン群９４、９８、９１２から構成される第４のマスクパターン群の４つのマスクパターン群に分類される。
【０１４０】
ここで、同じマスクパターン群に分類される３つのマスクパターンに配置された記録許容画素の論理和より得られる論理和パターンは、単位内の記録許容画素の数の平均が所定の閾値よりも大きくなるように設定されている。具体的には、第１、第２、第３、第４のマスクパターン群にそれぞれ分類された３つのマスクパターンに対応する論理和パターンは、それぞれ図１７（ａ）、図１７（ｂ）、図１７（ｃ）、図１７（ｄ）に示すようなパターンとなるように設計されている。したがって、第１の実施形態と同様に、それぞれの論理和パターンにおける単位内の記録許容画素の数の平均は１６となる。
【０１４１】
本実施形態で記載したマスクパターンを適用して記録を行った場合、１回の走査にて吐出されたインク滴は記録媒体上で近接する位置に着弾するため、大インク滴が形成されるが、大インク滴同士は接触しないため大インク滴間のビーディングを抑制できる。
【０１４２】
また、４回目の走査が行われた後には、第１の実施形態に記載したマスクパターンを適用した場合の被覆面積よりは少ないが、記録媒体上の大部分をインクで被覆することができる。そのため、以降の走査で搬送のずれが生じた場合や列の配置のずれが生じていた場合であってもインクの非吐出領域が形成されにくく、色ずれの生じにくい記録を行うことができる。
【０１４３】
更に、本実施形態に記載したマスクパターンで記録した場合、近接する位置に形成されるインク滴の数は５個または６個であり、第１の実施形態に記載したマスクパターンに対応する１つの大インク滴を構成するインク滴の数である８個よりも少ない値となる。したがって、本実施形態に記載のマスクパターンによれば大インク滴の大きさを小さくすることができるため、第１の実施形態に比べて粒状感の小さい画像を記録することが可能である。
【０１４４】
（第４の実施形態）
第１から第３の実施径形態では単一の色に対応する１つの吐出口列のみを考慮してマスクパターンを設定した。
【０１４５】
これに対し、本実形態では複数の色にそれぞれ対応する複数の吐出口列を考慮したマスクパターンを設定する。
【０１４６】
本実施形態では、第１の実施形態に記載した記録ヘッドと同様の記録ヘッドを使用して記録を行う。また、ブラックインクを吐出する吐出口列２２Ｋに関しては、第１の実施形態に記載した図１５に示すマスクパターンのそれぞれをそれぞれの走査においてそれぞれの吐出口群に対して適用して記録を行う。
【０１４７】
図２４は本実施形態におけるシアンインクを吐出する吐出口列に適用するマスクパターンについて説明するための図である。
【０１４８】
本実施形態におけるシアンインクを吐出する吐出口列２２Ｃ内の列２２Ｃａ、列２２Ｃｂは、それぞれ吐出口群Ｄ１から吐出口群Ｄ４、吐出口群Ｄ５から吐出口群Ｄ８の４つの吐出口群に分割される。図１２に示すように吐出口列２２Ｋと吐出口列２２ＣがＸ方向に並んで配置されるため、吐出口群Ｄ１〜Ｄ８のそれぞれと吐出口群Ａ１〜Ａ８のそれぞれとは同じ走査にて単位領域にインクを吐出する。ここで、吐出口群Ｄ１〜Ｄ８のそれぞれには図２４に示すマスクパターン１１１からマスクパターン１１８までの８つのマスクパターンのそれぞれが適用される。
【０１４９】
本実施形態におけるシアンインクの吐出口列に適用するマスクパターン１１１〜１１８のそれぞれは、それぞれＸ方向またはＹ方向に複数の記録許容画素が隣接しないように設定される。すなわち、前述の単位内の記録許容画素の数の平均が０となるように設定されている。
【０１５０】
一方、マスクパターン１１１〜１１８は、マスクパターン１１１、１１５から構成される第１のマスクパターン群、マスクパターン１１２、１１６から構成される第２のマスクパターン群、マスクパターン１１３、１１７から構成される第３のマスクパターン群、マスクパターン群１１４、１１８から構成される第４のマスクパターン群の４つのマスクパターン群にそれぞれ分類される。更に、第１、第２、第３、第４のマスクパターン群にそれぞれ分類された２つのマスクパターンに対応する論理和パターンは、それぞれ図１７（ａ）、図１７（ｂ）、図１７（ｃ）、図１７（ｄ）に示すようなパターンとなるように設計されている。したがって、ブラックインクに対応する論理和パターンと同様に、それぞれの論理和パターンにおける単位内の記録許容画素の数の平均は１６となる。
【０１５１】
ここで、図１５、図２４のそれぞれに示す１回目の走査に対応する吐出口群Ａ１、Ｄ１に適用するマスクパターン６１、１１１を比較すると、それぞれにおける第１の画素領域は互いに同じ位置に構成されていることがわかる。一方で、それぞれの記録許容画素は互いに排他的な位置に配置されていることがわかる。したがって、図１５、図２４のそれぞれに示すマスクパターン６１、１１１にしたがってインクを吐出する場合、ブラックインクの大インク滴とシアンインクの大インク滴は記録媒体上のほぼ同じ位置に形成される。そのため、ブラックインクの大インク滴とシアンインクの大インク滴は互いに１つずつは記録媒体上にて接触しビーディングが生じる虞がある。しかしながら、それ以上の大インク滴同士は記録媒体上にて接触しないため、ある程度のビーディングを抑制することができる。更に、上述のブラックインクの大インク滴とシアンインクの大インク滴は記録媒体上においてほぼ同じ位置であるが、僅かに異なる位置に形成されることになる。そのため、ブラックインクとシアンインクが記録媒体上の同じ位置に形成される場合に比べて粒状感やモアレをある程度抑制した記録を行うことが可能となる。
【０１５２】
なお、以上に説明した各実施形態では各マスクパターン内のＸ方向およびＹ方向と斜めに交差する斜め方向に隣接する記録許容画素の数がある程度多い形態について記載したが、他の形態による実施も可能である。すなわち、本発明における各マスクパターンは論理和パターンにおいて単位が形成される領域に対応する領域においてそれぞれの記録許容画素がある程度分散して配置されたものであれば良い。例えば、論理和パターンにおける単位が形成される領域に対応する領域における記録許容画素がランダムマスクパターンの形状に配置されたものや記録許容画素がブルーノイズ特性を有するように配置されたものも本発明の効果を奏することができる。但し、それぞれの論理和パターンにおける単位内の記録許容画素の数の平均が１６以上であることが特に好ましい。また、それぞれの論理和パターンにおける単位間に非記録許容画素が４以上配置されていることが好ましい。
【０１５３】
また、以上で説明した各実施形態では、マスクパターン群の個数をＭ個とした場合、単位領域に対する１回目の走査からＭ回目までのＭ回の走査において用いられるＭ個のマスクパターンにおける論理和パターンは、第２の画素領域を含まないように設定される。例えば、図１５に示す形態の場合、マスクパターン群の個数は４個である。ここで、それぞれ１〜４回目の走査にて用いられるマスクパターン６１〜６４は、第１の画素領域がそれぞれ互いに異なる位置であり且つ、補完的な位置に構成されている。そのため、マスクパターン６１〜６４における論理和パターンは、全域において第１の画素領域が構成されており、第２の画素領域を含まないことがわかる。このように各マスクパターンを設定することにより、可能な限り早い走査（Ｍ回目の走査）にて記録媒体の全域にインクを吐出することができる。したがって、Ｍ＋１回目の走査以降の走査にて記録位置ずれが生じた場合に非吐出領域の発生を効果的に抑制できる。但し、本発明はこのような形態に限定されるものではなく、同じマスクパターン群の２つのマスクパターンが２回以上の所定の回数だけ離れた２回の走査で適用されるような形態であれば本発明の効果を得ることができる。なお、前述の所定の回数は、単位領域に行う走査の回数をＮ回とした場合、Ｎ／Ｍに相当する回数であることが特に好ましい。
【０１５４】
また、各実施形態では、各マスクパターン内のすべての領域が第１、第２の画素領域から構成される形態について記載したが、他の形態による実施も可能である。例えば、マスクパターン内の１６画素×１６画素の領域内に対し第１の画素領域が４つ、第２の画素領域が１１個、１つの記録許容画素と１５個の非記録許容画素が配値された画素領域がマスクパターン内に１つ構成されたような形態であっても良い。
【０１５５】
また、各実施形態では、それぞれのマスクパターンを適用して記録を行った際に形成される大インク滴を構成するインク滴の数が５、６、８個である形態について記載したが、他の形態による実施も可能である。すなわち、これらのインク滴は複数回の走査のうちの前半の数回の走査で記録媒体上のほぼすべての領域を被覆することができる程度には分散し、且つ、大インク滴同士が接触しない程度には集合して形成される必要がある。大インク滴を構成するインク滴の最適な数はインクや記録媒体の種類に応じて適宜異なる値となるが、インク滴の数が８以上２００以下の値である場合に本発明の効果を得ることが実験的に判明している。
【０１５６】
また、各実施形態では、それぞれのマスクパターンにおける単位内の記録許容画素の数の平均が０である形態について記載したが、他の形態による実施も可能である。すなわち、粒状感が目立たない程度であればある程度Ｘ方向またはＹ方向に隣接する位置に配置された記録許容画素があっても良いため、該数の平均は所定の閾値よりも小さければ良い。該所定の閾値は使用するインクや記録媒体に応じて適宜異なる値となるが、該所定の閾値が８未満である場合に特に顕著に本発明の効果を奏することができる。
【０１５７】
また、各実施形態では樹脂エマルジョンを含有し、インク滴の着弾後に熱を加えることにより難吸水性の記録媒体の表面に皮膜を形成し定着する、いわゆる熱硬化型インクを使用する記録装置について記載した。しかし、本発明はこれらの熱硬化型インクを使用する記録装置に限定されるものではなく、記録媒体に対するインクの定着時間が比較的長いインクと記録媒体の組合せを使用する記録装置全般に有効に適用することができる。
【０１５８】
また、各実施形態では加熱により生じる発泡のエネルギーによりインクの吐出を行ういわゆるサーマルジェット型のインクジェット記録装置および記録方法について記載した。しかし、無論本発明はサーマルジェット型のインクジェット記録装置に限定されるものではなく、例えば圧電素子を利用してインクの吐出を行ういわゆるピエゾ型のインクジェット記録装置等、様々な画像記録装置に対して有効に適用できる。
【０１５９】
また、各実施形態には画像記録装置を用いた画像記録方法について記載したが、他の形態による実施も可能である。例えば、各実施形態に記載の画像記録方法を行うためのデータを生成するデータ生成装置またはデータ生成方法、プログラムを記録装置とは別体に用意する形態あるいは記録装置の一部に備える形態等、広く適用することができる。
【符号の説明】
【０１６０】
３  記録媒体
７  記録ヘッド
２２  吐出口列
８０  単位領域
６１〜６８  マスクパターン
１２１  第１の画素領域
１２２  第２の画素領域
３０２  ＲＯＭ
Ａ１〜Ａ８  吐出口群
【図１】
2015112760.tif 000003
【図２】
2015112760.tif 000004
【図３】
2015112760.tif 000005
【図４】
2015112760.tif 000006
【図５】
2015112760.tif 000007
【図６】
2015112760.tif 000008
【図７】
2015112760.tif 000009
【図８】
2015112760.tif 000010
【図９】
2015112760.tif 000011
【図１０】
2015112760.tif 000012
【図１１】
2015112760.tif 000013
【図１２】
2015112760.tif 000014
【図１３】
2015112760.tif 000015
【図１４】
2015112760.tif 000016
【図１５】
2015112760.tif 000017
【図１６】
2015112760.tif 000018
【図１７】
2015112760.tif 000019
【図１８】
2015112760.tif 000020
【図１９】
2015112760.tif 000021
【図２０】
2015112760.tif 000022
【図２１】
2015112760.tif 000023
【図２２】
2015112760.tif 000024
【図２３】
2015112760.tif 000025
【図２４】
2015112760.tif 000026